(57)【要約】 【課題】  簡単な構成により、所定文字／画像などの印影を偶然性を伴って得ることができ、かつ得られた印影を記録することのできるスタンプ装置の提供。【解決手段】  回転中心軸（９）と平行に複数の平面（１１、１２、１３、...）を形成した回転体（１０）を前記回転中心軸（９）回りに回転可能に軸支し、前記平面上にスタンプ体（１１０、１２０、１３０、...）を設け、前記回転体をスタンプ位置で停止させて使用するスタンプ装置（１）であって、前記回転体を回転駆動した後に、前記スタンプ位置でランダムに停止させるための操作手段（６）を備える。【選択図】  図２
2006181969.tif 000002
【特許請求の範囲】
【請求項１】
回転中心軸と平行に複数の平面を形成した回転体を前記回転中心軸回りに回転可能に軸支し、前記平面上にスタンプ体を設け、前記回転体をスタンプ位置で停止させて使用するスタンプ装置であって、
前記回転体を回転駆動した後に、前記スタンプ位置でランダムに停止させるための操作手段と、を備えることを特徴とするスタンプ装置。
【請求項２】
前記操作手段は、
前記回転駆動のための歯部と、前記回転体をスタンプ位置で停止させるための停止部とを前記回転体を跨いで形成する操作部材と、
前記操作部材を移動付勢する付勢部材と、
前記歯部に噛合するように前記回転体の一方の側面に設けられるギア歯部と、
前記スタンプ体の個数分の面部の一つが、前記停止部に対して当接するように前記回転体の他方の側面に設けられる多角形状部とを備え、
前記操作部材は、前記多角形状部と前記停止部とが当接することにより前記回転体を停止せしめる位置と、前記歯部と前記ギア歯部とが噛合することにより前記回転体を回転駆動せしめる位置との間で往復移動可能に設けられ、前記付勢部材により前記停止せしめる位置に移動付勢されていることを特徴とする請求項１に記載のスタンプ装置。
【請求項３】
前記操作手段は、
前記回転駆動のための歯部と、前記回転体をスタンプ位置で停止させるための停止部とを一体形成する操作部材と、
前記操作部材を移動付勢する付勢部材と、
前記歯部に噛合するように前記回転体の一方の側面に設けられるギア歯部と、
前記スタンプ体の個数分の面部の一つが、前記停止部に対して当接するように前記回転体の前記一方の側面に設けられる多角形状部とを備え、
前記操作部材は、前記多角形状部と前記停止部とが当接することにより前記回転体を停止せしめる位置と、前記歯部と前記ギア歯部とが噛合することにより前記回転体を回転駆動せしめる位置との間で往復移動可能に設けられ、前記付勢部材により前記停止せしめる位置に移動付勢されていることを特徴とする請求項１に記載のスタンプ装置。
【請求項４】
前記多角形状部と当接する前記停止部を、前記スタンプ体に対して略垂直に形成することにより、前記回転体を軸支するハウジングの開口面に対して略平行となるように前記スタンプ体を停止させ前記開口面から露出させることを特徴とする請求項２または３に記載のスタンプ装置。
【請求項５】
前記スタンプ体は、インキを含浸する多孔性材料を用いて所定文字／画像を形成し、
前記回転体を軸支する軸支部を有するハウジングは、前記スタンプ位置で停止された前記スタンプ体を前記ハウジング外部に露出させる開口部を備え、
前記インキの乾燥を防止するために前記開口部を覆う蓋体を着脱可能に設けたことを特徴とする請求項１乃至４のいずれか１項に記載のスタンプ装置。
【請求項６】
前記スタンプ体の前記所定文字／画像は、勝敗を決定するパターンまたは夫々異なる色の異色インキを含浸するか、あるいは前記パターンと前記異色インクとを組み合わせて形成されることを特徴とする請求項５に記載のスタンプ装置。
【請求項７】
１個の前記回転体と、１個の前記操作手段が設けられ、前記操作手段の押圧部を押圧して前記回転体を回転駆動後に、前記スタンプ位置でランダムに停止させることを特徴とする請求項１乃至６のいずれか１項に記載のスタンプ装置。
【請求項８】
前記回転体の平面は、少なくとも２面、望ましくは３面以上形成されることを特徴とする請求項７に記載のスタンプ装置。
【請求項９】
複数の前記回転体と、前記回転体と同数の複数の前記操作手段が設けられ、共通の押圧部材で前記複数の操作手段を同時に押圧して前記複数の回転体を個別に回転駆動後に、前記スタンプ位置で個別にランダムに停止させることを特徴とする請求項１乃至８のいずれか１項に記載のスタンプ装置。
【請求項１０】
前記複数の回転体の前記平面は、少なくとも２面、望ましくは３面以上形成されることを特徴とする請求項９に記載のスタンプ装置。
【発明の詳細な説明】
【技術分野】
【０００１】
本発明は、スタンプ装置に係り、例えば偶然性を楽しめる子供用玩具として好適な技術に関するものである。
【背景技術】
【０００２】
わが国では印影を紙面に転写することが頻繁に行われている。印鑑が実印である場合には、各種の私的書類や公的書類において印紙とともに使用される。印鑑は、実印のほかに所謂みとめ印、個人用の氏名印鑑などがあり、用途別に使い分けているが、全てを管理保管することは煩雑であることから、これらの印影を１つの印鑑として構成した「一本で三つに使える印鑑」が提案されている。
【０００３】
この提案によれば、３面を有する回転体の外周面に３つの印影となる印面を形成しておき、回転体の回転中心軸に回転用軸を固定し、印棒において回転用軸を回転可能に軸支するとともに、回転用軸の一端に回転つまみを固定することにより、回転つまみを操作することで必要な印面が外部に表れるので印影を紙面に転写できるように構成されている。また、使用後には蓋をするように構成されている（特許文献１）。
【特許文献１】実開平３−１０６０６６号公報。
【発明の開示】
【発明が解決しようとする課題】
【０００４】
上記の特許文献１の提案になる印鑑によれば、一本で三つの用途に使えるので大変に便利である。
【０００５】
一方、例えばスロットマシンに代表されるように勝敗を決定するパターンまたは所定文字／画像を偶然性を伴って表示することで楽しむように構成された装置は、装置がかなり大掛かりとなるとともに、表示の結果を転写して記録できない問題がある。
【０００６】
したがって、本発明は上記の問題点に鑑みて成されたものであり、所定文字／画像などの印影を偶然性を伴って得ることで楽しく遊ぶことができ、しかも得られた印影を例えば紙面上に転写して記録できるスタンプ装置の提供を目的としている。
【課題を解決するための手段】
【０００７】
上述した課題を解決し、目的を達成するために、本発明は、回転中心軸（９）と平行に複数の平面（１１、１２、１３、...）を形成した回転体（１０）を前記回転中心軸（９）回りに回転可能に軸支し、前記平面上にスタンプ体（１１０、１２０、１３０、...）を設け、前記回転体をスタンプ位置で停止させて使用するスタンプ装置（１）であって、前記回転体を回転駆動した後に、前記スタンプ位置でランダムに停止させるための操作手段（６）を備えることを特徴としている。
【０００８】
また、前記操作手段は、前記回転駆動のための歯部と、前記回転体をスタンプ位置で停止させるための停止部とを前記回転体を跨いで形成する操作部材と、前記操作部材を移動付勢する付勢部材と、前記歯部に噛合するように前記回転体の一方の側面に設けられるギア歯部と、前記スタンプ体の個数分の面部の一つが、前記停止部に対して当接するように前記回転体の他方の側面に設けられる多角形状部とを備え、前記操作部材は、前記多角形状部と前記停止部とが当接することにより前記回転体を停止せしめる位置と、前記歯部と前記ギア歯部とが噛合することにより前記回転体を回転駆動せしめる位置との間で往復移動可能に設けられ、前記付勢部材により前記停止せしめる位置に移動付勢されていることを特徴としている。
【０００９】
また、前記操作手段は、前記回転駆動のための歯部と、前記回転体をスタンプ位置で停止させるための停止部とを一体形成する操作部材と、前記操作部材を移動付勢する付勢部材と、前記歯部に噛合するように前記回転体の一方の側面に設けられるギア歯部と、前記スタンプ体の個数分の面部の一つが、前記停止部に対して当接するように前記回転体の前記一方の側面に設けられる多角形状部とを備え、前記操作部材は、前記多角形状部と前記停止部とが当接することにより前記回転体を停止せしめる位置と、前記歯部と前記ギア歯部とが噛合することにより前記回転体を回転駆動せしめる位置との間で往復移動可能に設けられ、前記付勢部材により前記停止せしめる位置に移動付勢されていることを特徴としている。
【００１０】
また、前記多角形状部と当接する前記停止部を、前記スタンプ体に対して略垂直に形成することにより、前記回転体を軸支するハウジングの開口面に対して略平行となるように前記スタンプ体を停止させ前記開口面から露出させることを特徴としている。
【００１１】
また、前記スタンプ体は、インキを含浸する多孔性材料を用いて所定文字／画像を形成し、前記回転体を軸支する軸支部を有するハウジングは、前記スタンプ位置で停止された前記スタンプ体を前記ハウジング外部に露出させる開口部を備え、前記インキの乾燥を防止するために前記開口部を覆う蓋体を着脱可能に設けたことを特徴としている。
【００１２】
また、前記スタンプ体の前記所定文字／画像は、勝敗を決定するパターンまたは夫々異なる色の異色インキを含浸するか、あるいは前記パターンと前記異色インクとを組み合わせて形成されることを特徴としている。
【００１３】
また、１個の前記回転体と、１個の前記操作手段が設けられ、前記操作手段の押圧部を押圧して前記回転体を回転駆動後に、前記スタンプ位置でランダムに停止させることを特徴としている。
【００１４】
また、前記回転体の平面は、少なくとも２面、望ましくは３面以上形成されることを特徴としている。
【００１５】
また、複数の前記回転体と、前記回転体と同数の複数の前記操作手段が設けられ、共通の押圧部材で前記複数の操作手段を同時に押圧して前記複数の回転体を個別に回転駆動後に、前記スタンプ位置で個別にランダムに停止させることを特徴としている。
【００１６】
そして、前記複数の回転体の前記平面は、少なくとも２面、望ましくは３面以上形成されることを特徴としている。
【発明の効果】
【００１７】
本発明によれば、簡単な構成により、所定文字／画像などの印影を偶然性を伴って得ることができ、かつ得られた印影を記録できるスタンプ装置を提供することができる。
【発明を実施するための最良の形態】
【００１８】
以下に、本発明の好適な一実施形態について添付の各図面を参照して述べる。
【００１９】
ここで、本発明は様々な修正と変更が可能であり、その内の特定の事例が図面に図示されており、以下に詳細に記述されることになるが、これらに限定されず請求の範囲に規定された範囲で種々の構成が可能であることは言うまでもなく、後述する玩具用途以外にも全てのスタンプ装置に適用可能である。
【００２０】
先ず、図１（ａ）は本発明の一実施形態であるスタンプ装置１について一部を破断して示した正面図、（ｂ）はスタンプ装置１の底面図である。本図において、このスタンプ装置１は、袋詰めされた小さい菓子類とともに箱詰めされて提供される所謂ノベルティグッズであり、図示される猫などのキャラクタ人形５についは後から取り付けるように構成されている。
【００２１】
このスタンプ装置１は、内部において回転体１０を回転中心軸９回りに回転可能に軸支するための所定樹脂製の左右のハウジング２、３を設けている。また、ハウジング２、３の下方には後述する開口部が設けられており、この開口部を塞ぐために着脱される樹脂製の蓋体４が設けられている。
【００２２】
この蓋体４は、後述するスタンプ体を保護する目的と乾燥を防止するために設けられており、この蓋体４にはダイヤル７が不図示のラチェット機構により３０度毎に一方向に回転するように不図示の軸支部により設けられている。また、図１(ｂ)に図示のようにこのダイヤル７の回りには、３０度の角度毎に文字を形成した円形の盤面４ａが形成されており、ダイヤル７の外周面の溝部７ａを把持して、ダイヤル７の表面に形成または記録された矢印７ｂを、長矢印７ｃ方向に回すことで、盤面４ａの文字に矢印７ｂを一致させた位置で固定できるように構成されている。
【００２３】
以上のように構成される蓋体４をハウジング２、３から取り外した後に、ダイヤル７をスタンプ装置１の使用回数分回し、使用回数の記録を行うことで、遊ぶことができるようにしている。このダイヤル７はアクセサリ的なものであり無くともよい。
【００２４】
ハウジング２、３の内部には回転中心軸９と平行に３つの平面１１、１２、１３を形成するように樹脂成型される回転体１０が、回転中心軸９回りに回転可能になるように軸支されている。また、この回転体１０の一方の側面の回転中心軸９の回りにはギア２０が一体樹脂形成されており、図１（ａ）に図示のように押圧部６ａが指先により矢印方向に押圧移動される操作部材６に固定された歯部がこのギア２０に一時的に噛合することで、回転体１０を回転駆動するように構成されている。
【００２５】
図２は、図１のスタンプ装置１の立体分解図である。本図において、既に説明済みの構成部品については同様の符号を附して説明を割愛すると、キャラクタ人形５は少年闘士であってその両足において、ハウジング２、３の上面から突出形成された凸部２ｈ、３ｈに対して強く押し付けることで固定される凹部５ａ、５ｂが成型されている。
【００２６】
ハウジング２は側面において上記の操作部材６の押圧部６ａを挿通することで図１に図示の状態にするための破線図示の挿通孔部２ａが穿設されている。また、ハウジング２の下方には回転体１０の複数のスタンプ面のうちの１つのスタンプ面の約半分がハウジング２の外部に表れるように開口部２ｋが形成されている。
【００２７】
さらにハウジング２の３箇所の縁部には、ハウジング３の雄状の縁部の段差部に合致する雌状の段差部が形成されており、ハウジング２の縁部下方の２つの穴部２ｍに対してハウジング３の縁部の下方の２つの突起部３ｍが潜入するようにして、上記の各段差部とともに左右のハウジング２、３の位置決めを行うとともに、組み付け後のハウジング２、３の内部の気密性を高めるように構成されている。また、縁部には、回転体１０を回転可能に軸支する軸支部２ｂ、２ｃが図示のように形成されている。
【００２８】
一方、ハウジング３は概ねハウジング２と線対称になる形状に形成されており、回転体１０の複数のスタンプ面のうちの１つのスタンプ面の残りの約半分がハウジング２の外部に表れるように開口部３ｋと、軸支部２ｂ、２ｃが入り込むことで回転体１０を軸支する溝部３ｂ、３ｃとが形成されている。また、このハウジング３の側面内側には圧縮コイルバネ４０の一端を固定するスタッド部３ａが形成されている。
【００２９】
以上のように構成される左右のハウジング２、３は、回転体１０と操作部材６と圧縮コイルバネ４０とを内蔵した後に、４箇所の取り付け部に対してセルフタッピングネジ５０を挿入して組み立てられる。
【００３０】
回転体１０は、一点鎖線で図示される回転中心軸９回りに上記のように回転可能に軸支され、回転体１０の一方の側面１０ａ側には軸部２１とともにギア２０が形成されている。また回転体１０の他方の側面1１０ｂ側には軸部２３とともに３角形の多角形状部２２が形成されている。
【００３１】
また、この回転体１０を回転駆動した後に、スタンプ位置でランダムに停止させるために操作部材６が、図示のように回転体１０を跨ぐように設けられている。ここで、スタンプ位置とは、前記回転体１０に形成した複数の平面（１１、１２、１３、・・・）に設けたスタンプ体(１１０，１２０，１３０、・・・)の何れか１つのスタンプ体がハウジング２、３の開口部２ｋ、３ｋから露出している状態の位置のことである。
【００３２】
このように回転体１０を跨ぐために樹脂成型されて準備される操作部材６は、上記の押圧部６ａに対向する位置において圧縮コイルバネ４０の他方を挿入して固定するスタッド部３４が形成されている。
【００３３】
また、この操作部材６は、当接面３３ａを図示のように形成した停止部３３を有するアーム部３２と、歯部３１を図示のように下面の一部に形成したアーム部３０とが一体形成されており、回転体１０をハウジング２において一時的に軸支した後に、操作部材６に圧縮コイルバネ４０を一時的に固定し、アーム部３０、３２が回転体１０を跨ぐように図示の矢印方向にセットし、ハウジング３を固定することで完成される。
【００３４】
以上のように組み付けることで、操作部材６は後述する待機位置と操作位置との間で往復移動可能に設けられる。完成後の操作部材６を、圧縮コイルバネ４０の圧縮力に抗して操作位置に移動すると歯部３１が回転体１０のギア２０に一時的に噛合して回転体を時計回り方向に回転させ、その後操作部材６を、元の待機位置に戻すと停止部３３の当接面３３ａが３角形の多角形状部２２の一つの面にランダムに当接することで回転体１０の回転を停止して、スタンプ位置に固定することができるようになる。
【００３５】
すなわち、多角形状部と当接する停止部を、スタンプ体に対して略垂直に形成することにより、回転体を軸支するハウジングの開口面に対して略平行となるようにスタンプ体を停止させて開口面から露出させることが可能となる。
【００３６】
なお、操作部材６の形状は上記の形状に限定されず、例えば回転体１０の一方の側面１０ａ側においてギア２０と多角形状部２２とを形成する場合には、二股のＹ字形状にすることで回転体を安定的に回転および停止することができる。
【００３７】
次に、図３（ａ）はスタンプ装置１（具体的には操作部材６）が待機位置になっている様子を示した要部断面図である。また、図３（ｂ）はスタンプ装置１(具体的には操作部材６)が操作位置になっている様子を示した要部断面図である。さらに図４（ａ）はスタンプ装置１(具体的には操作部材６)が待機位置になる直前の様子を示した要部断面図、図４（ｂ）はスタンプ装置１（具体的には操作部材６）が元の待機位置になり、スタンプを行う様子を示した要部断面図である。
【００３８】
先ず、図３（ａ）において、既に説明済みの構成部品については同様の符号を附して説明を割愛すると、回転体１０の３つの平面１１、１２、１３上にはインキを含浸する多孔性材料を用いて所定文字／画像を形成したスタンプ体１１０、１２０、１３０が接着などにより敷設されている。また、回転体１０は操作部材６の停止部３３が３角形の多角形状部２２の一つの面に当接することにより回転が停止されており、蓋体４を二重矢印方向に移動して取り外せばスタンプを行える状態となっている。このとき歯部３１はギア２０に噛合していない。
【００３９】
この後に、図３（ｂ）に図示のように操作部材６の押圧面６ａを指先で強く押すと、歯部３１がギア２０に対して一時的に噛合して回転体１０を回転駆動する。なお、指先での押圧面６ａへの押圧力に応じて、回転体１０の回転数を変えることができる。
【００４０】
回転体１０の回転駆動の後、ギア２０と歯部３１とが噛合しなくなり、図４（ａ）において操作部材６は圧縮コイルバネ４０により元の待機位置に戻されるとともに回転体１０のスタンプ体１１０、１２０、１３０をランダムに停止する準備を行い、最後に、図４（ｂ）に図示のようにスタンプ装置１（具体的には操作部材６）が元の待機位置に戻ることで、スタンプ体１１０、１２０、１３０の図柄のスタンプを行うことができる。
【００４１】
スタンプ体は例えば「じゃんけん」を行う場合には「グー、チョキ、パー」の各図柄が形成されることとなる。この図柄はこのように勝敗を決定するパターンと、赤、黄、青の夫々異なる色の異色インキを含浸するか、あるいはパターンと異色インクとを組み合わせて形成されることでインクスタンプ台が不要になる。また、スタンプ体１１０、１２０、１３０は、印鑑のように朱肉またはインクスタンプ台を使用する凹凸面として回転体１０と一体樹脂成型してもよいことは言うまでもない。
【００４２】
以上のように３面を設けた１個の回転体１０と、１個の操作部材６を設けたスタンプ装置１は小型かつ安価に構成でき、かつ押圧面６ａへの押圧力に応じて、回転体１０の回転数を異ならせることができるので、予期しないスタンプ体をハウジング２の開口部から露出させることができる。このようにランダムにスタンプを行うことができるので、例えば２人以上で対戦して遊ぶときには、異なったキャラクタ人形５が同士があたかも競うようにして遊ぶことができる。
【００４３】
ここで、回転体１０の平面は３面以上形成することでより楽しく遊べることになる。
【００４４】
図５（ａ）〜（ｄ）は回転体１０の変形例を示した正面図である。本図において、既に説明済みの構成部品については同様の符号を附して説明を割愛すると、図５（ａ）において、回転体１０は２面においてスタンプ体１１０、１２０を設けており、多角形状部２２も２面を形成している。
【００４５】
また、図５（ｂ）において、回転体１０は４面にスタンプ体１１０、１２０、１３０、１４０を設けた正四角形であり、多角形状部２２も４面を形成している。
【００４６】
さらに、図５（ｃ）において、回転体１０は５面にスタンプ体１１０、１２０、１３０、１４０、１５０を設けた正五角形ており、多角形状部２２も５面を形成している。
【００４７】
この場合には、多角形状部２２と当接する停止部は、スタンプ体に対して垂直に形成されず、所定角度を有するように形成されることで、回転体を軸支するハウジングの開口面に対して略平行となるようにスタンプ体を停止させて開口面から露出させることとなる。  そして、図５（ｄ）において、回転体１０は６面にスタンプ体１１０、１２０、１３０、１４０、１５０を設けた正六角形ており、多角形状部２２も６面を形成している。
【００４８】
以上のような各回転体を設けることで、ゲームの種類に応じてより楽しく遊べることになる。
【００４９】
最後に、図６は図５（ａ）の回転体１０を３個並列配置したスロットマシンとしてスタンプ装置を構成した場合の模式図である。本図において、既に説明済みの構成部品については同様の符号を附して説明を割愛すると、図示のように３個の回転体１０、１０、１０を独立して回転可能に軸支し、夫々に圧縮コイルバネ４０を設けた操作部材６、６、６を図示のように跨ぐように設け、共通の押圧部材１０６で同時に押圧可能に設けることで、３個の回転体１０、１０、１０を個別に回転駆動した後に、スタンプ位置で個別にランダムに停止させ、ランダムにスタンプするようにして遊ぶことも可能になる。
【００５０】
なお、以上のように構成されるスタンプ装置は、各構成部品を組立体図とともに同梱したいわゆる組立用のプラモデルキットとして提供することもできる。
【図面の簡単な説明】
【００５１】
【図１】（ａ）は本発明の一実施形態であるスタンプ装置１を一部破断して示した正面図、（ｂ）は（ａ）の底面図である。
【図２】スタンプ装置１の立体分解図である。
【図３】（ａ）はスタンプ装置１が待機位置になっている様子を示した要部断面図、（ｂ）はスタンプ装置１が操作位置になっている様子を示した要部断面図である。
【図４】（ａ）はスタンプ装置１が待機位置になる直前の様子を示した要部断面図、（ｂ）はスタンプ装置１が元の待機位置になり、スタンプを行う様子を示した要部断面図である。
【図５】（ａ）〜（ｄ）は回転体１０の変形例を示した正面図である。
【図６】図５（ａ）の回転体１０を３個並列に配置したスロットマシンとしてスタンプ装置を構成した場合の模式図である。
【符号の説明】
【００５２】
１ スタンプ装置
２、３  ハウジング
４  蓋体
５  キャラクタ人形
６  操作部材（操作手段）
７  ダイヤル
９  回転中心軸
１０  回転体
２０  ギア
２２  多角形状部
３３  停止部
【図１】
2006181969.tif 000003
【図２】
2006181969.tif 000004
【図３】
2006181969.tif 000005
【図４】
2006181969.tif 000006
【図５】
2006181969.tif 000007
【図６】
2006181969.tif 000008